(57)【要約】【課題】装着時において、安定した装着を行うことができながらも、見た目が損なわれるのを抑えることができる眼鏡を提供する。【解決手段】眼鏡１は、装着者の目の前に配置されて光を通す透光部２と、透光部２が装着者の目の前に配置された状態で前記透光部２を支持する一対のテンプル３とを備える。一対のテンプル３の各々は、もみあげ押さえ部３５を有する。もみあげ押さえ部３５は、装着者のもみあげに重なる位置に配置されて、もみあげを押さえる。【選択図】図１
2020166257.tif 000002
【特許請求の範囲】
【請求項１】
装着者の目の前に配置されて光を通す透光部と、
前記透光部が前記装着者の目の前に配置された状態で前記透光部を支持する一対のテンプルと
を備え、
前記一対のテンプルの各々は、前記装着者のもみあげに重なる位置に配置されて、前記もみあげを押さえるもみあげ押さえ部を有し、
前記一対のテンプルの各々は、
前記透光部から前記装着者の耳まで延びたテンプル本体と、
前記テンプル本体から前記装着者の後頭部まで延びて、前記後頭部に接触する後支え部とを有し、
前記後支え部は、装着者の後頭骨の下部に沿って延びる下支持体を有し、
前記下支持体は、前記テンプル本体の後方向の端部から下方に延び、更に、左右方向のうちの装着者側に延びる、
眼鏡。
【請求項２】
装着者の目の前に配置されて光を通す透光部と、
前記透光部が前記装着者の目の前に配置された状態で前記透光部を支持する一対のテンプルと
を備え、
前記一対のテンプルの各々は、前記装着者のもみあげに重なる位置に配置されて、前記もみあげを押さえるもみあげ押さえ部を有し、
前記一対のテンプルの各々は、
前記透光部から前記装着者の耳まで延びたテンプル本体と、
前記テンプル本体から前記装着者の後頭部まで延びて、前記後頭部に接触する後支え部とを有し、
前記後支え部は、テンプル本体の後方向の端部から、テンプル本体よりも上方で、かつ左右方向のうちの装着者側に延びている、
眼鏡。
【請求項３】
前記もみあげ押さえ部は、もみあげに面状に接触する面接触部を有する
請求項１又は２に記載の眼鏡。
【請求項４】
前記一対のテンプルの各々は、
前記テンプル本体に設けられ、前記テンプル本体よりも下方に突出して前記面接触部につながる突出部と
を有する
請求項１〜３のいずれか１項に記載の眼鏡。
【請求項５】
前記装着者の鼻に載り、前記透光部を支持する鼻当てを更に備える
請求項１〜４のいずれか１項に記載の眼鏡。
【発明の詳細な説明】
【技術分野】
【０００１】
本発明は、眼鏡に関し、より詳しくは、テンプルを有する眼鏡に関する。
【背景技術】
【０００２】
特許文献１には、従来の眼鏡が開示されている。特許文献１に記載の眼鏡は、装着者の目の前に配置される一対のレンズと、一対のレンズを保持する一対のリムと、一対のリムから後方向に伸びる一対のテンプルとを備えている。眼鏡は、テンプルが装着者の耳に掛けられることで、装着者に装着される。眼鏡は、装着者に装着されると、レンズが装着者の両目の前に配置される。これにより、装着者は、レンズを通した視界を得ることができる。
【０００３】
特許文献１に記載の眼鏡は、頬骨当てパッド部を備えている。頬骨当てパッド部は、眼鏡を装着した状態で、装着者の頬骨に接触するように構成されている。眼鏡は、頬骨当てパッド部によって頬骨で支持されることで、鼻当てパッド無しで、レンズの位置を安定した状態に保つことができる。
【先行技術文献】
【特許文献】
【０００４】
【特許文献１】特許第５２４３４５４号公報
【発明の概要】
【発明が解決しようとする課題】
【０００５】
しかしながら、特許文献１記載の眼鏡では、頬骨当てパッド部が頬骨に接触するように構成されており、装着時に目立つため、装着者の見た目を損なうという問題がある。
【０００６】
本発明は、上記事情に鑑みてなされ、装着時において、安定した装着を行うことができながらも、見た目が損なわれるのを抑えることができる眼鏡を提供することを目的とする。
【課題を解決するための手段】
【０００７】
本発明の眼鏡は、装着者の目の前に配置されて光を通す透光部と、前記透光部が前記装着者の目の前に配置された状態で前記透光部を支持する一対のテンプルとを備える。前記一対のテンプルの各々は、もみあげ押さえ部を有する。もみあげ押さえ部は、前記装着者のもみあげに重なる位置に配置されて、前記もみあげを押さえる。
【発明の効果】
【０００８】
本発明の眼鏡によれば、装着時において、安定した装着を行うことができながらも、見た目が損なわれるのを抑えることができる。
【図面の簡単な説明】
【０００９】
【図１】図１は、本発明の一実施形態に係る眼鏡の斜視図である。
【図２】図２は、同上の眼鏡の補助体周辺の拡大側面図である。
【図３】図３は、同上の眼鏡を装着した状態の側面図である。
【図４】図４Ａは、変形例１の補助体周辺の拡大側面図である。図４Ｂは、変形例２の補助体周辺の拡大側面図である。図４Ｃは、変形例３の補助体周辺の拡大側面図である。
【図５】図５は、変形例４の眼鏡を装着した状態の斜め後方から見た斜視図である。
【図６】図６は、変形例５の眼鏡を装着した状態の斜め後方から見た斜視図である。
【発明を実施するための形態】
【００１０】
（１）概要
本発明の一例の眼鏡１について、実施形態に基づいて説明する。
本実施形態に係る眼鏡１は、図１に示すように、透光部２と、一対のテンプル３とを備えている。透光部２は、装着者５の目の前に配置されて光を通す部分である。テンプル３は、透光部２が装着者５の目の前に配置された状態で、透光部２を支持する部分である。
【００１１】
本実施形態に係る一対のテンプル３は、それぞれに、眼鏡１が装着者５に装着された状態で、もみあげ５１に重なるもみあげ押さえ部３５を有している。眼鏡１は、テンプル３によって、耳に掛かると共にもみあげ５１が押さえられることで、安定した装着状態を保つことができる。しかも、もみあげ押さえ部３５は、もみあげ５１に重なるため、装着した状態でも、目立たないように配置される。したがって、装着者５は、眼鏡１を装着した状態でも、見た目が損なわれるのを抑えることができる。
本開示でいう「装着者５」とは、眼鏡１を装着した、または装着しようとする者をいう。装着者５は、老若男女を特に問わない。
【００１２】
（２）詳細
以下、本実施形態に係る眼鏡１の具体的な構成について、詳細を説明する。
本実施形態に係る眼鏡１は、図１に示すように、透光部２と、一対のテンプル３と、鼻当て４とを備えている。
【００１３】
透光部２は、装着者５の目（両目）の前に配置されて光を通す部分である。装着者５は、眼鏡１を装着することで、透光部２を通した視界を得ることができる。透光部２は、一対の透光体２１と、各透光体２１を保持するリム２２と、リム２２に設けられた智２３と、一対の透光体２１をつなぐブリッジ２４とを備えている。
【００１４】
ここで、本実施形態に係る透光部２は、一対の透光体２１を備えているが、これに限らず、本開示では、両目に対応するように配置された１枚の透光体２１で構成されてもよい。また、本開示に係る透光部２は、リム２２を有していなくてもよく、透光体２１に、直接、智２３が取り付けられてもよい。
【００１５】
一対の透光体２１は、光を通す部材である。各透光体２１は、本実施形態では、透明な凸レンズで構成されている。各透光体２１は、正面から見て（以下、正面視）円形状（ここでは、長円形状）に形成されている。
【００１６】
本実施形態に係る透光体２１は、透明な凸レンズであるが、本開示では、凹レンズで構成されてもよいし、透明でなくてもよい。すなわち、透光体２１としては、サングラス等のように色付きのガラス（色ガラス）であってもよいし、また、視力を矯正するためのものでなくてもよい。
【００１７】
リム２２は、各透光体２１に対し、当該透光体２１の外縁の一部又は全部（少なくとも一部）に取り付けられて、当該透光体２１を保持する部分である。リム２２は、本実施形態では、透光体２１の外縁のうちの上半分にわたっている。リム２２は、例えば、金属製のワイヤーや、合成樹脂等により構成される。
【００１８】
ブリッジ２４は、左右方向に離れて配置された一対の透光体２１同士をつなぐ部分である。ブリッジ２４は、本実施形態では、一対のリム２２をつなぐことで、一対の透光体２１同士をつないでいる。ブリッジ２４は、リム２２と一体成形されてもよいし、リム２２とは別部材であってもよい。また、リム２２が設けられていない眼鏡１においては、透光体２１に直接取り付けられてもよい。
【００１９】
智２３は、透光体２１とテンプル３とをつなぐ部分である。智２３は、本実施形態では、リム２２に設けられており、リム２２を介して透光体２１に対して固定されている。智２３は、一対の透光体２１に対して１対１で設けられている。智２３は、透光体２１において、左右方向の端部のうちのブリッジ２４とは反対側の端部に設けられている。智２３は、上方から見て（以下、平面視）Ｌ字状に形成されており、後方向の先端に、ヒンジを介してテンプル３が取り付けられている。
【００２０】
鼻当て４は、装着者５の鼻に載り、透光部２を支持する。鼻当て４は、一対のリム２２において、互いに対向する部分に設けられている。鼻当て４は、本実施形態では一対設けられており、左右方向に離れて配置されている。
【００２１】
一対のテンプル３は、透光部２が装着者５の目の前に配置された状態で、透光部２を支持する部分である。各テンプル３は、テンプル本体３１と、モダン３２と、補助体３３とを備えている。
テンプル本体３１は、テンプル３の主体を構成する部分であり、智２３から（つまり、透光部２の縁部から）装着者５の耳まで延びる。テンプル本体３１は、装着者５の頭の側部（側頭部）に位置する。テンプル本体３１は、本実施形態では、線状（又は棒状）の金属材で構成されるが、本開示では扁平な棒状の樹脂材料であってもよく、形状や材質は特に限られない。
【００２２】
モダン３２は、装着者５の耳に掛けられる部分であり、テンプル本体３１の後方向の先端に取り付けられる。モダン３２は、本実施形態では、シリコン等の合成樹脂やゴムなどで構成される。ただし、本開示に係るモダン３２は、テンプル本体３１と別の素材でなくてもよく、例えば、テンプル本体３１の後方向の先端部を耳の付け根の上部に沿って湾曲させて構成されてもよい。
【００２３】
補助体３３は、装着者５が眼鏡１を装着した際に、テンプル本体３１及びモダン３２での支持に加えて、支持力を補助する部分である。本実施形態に係る眼鏡１は、補助体３３を有することで、透光部２を安定して支持することができるため、例えば、透光部２の重量が大きくなっても、安定した支持が可能である。補助体３３は、テンプル本体３１の左右方向の一対の面のうち、装着者５側の面に取り付けられている。補助体３３は、図２に示すように、取付部３４と、もみあげ押さえ部３５とを備えている。
【００２４】
取付部３４は、補助体３３をテンプル本体３１に取り付ける部分である。取付部３４は、本実施形態では、テンプル本体３１に沿って延びた部分であり、前方向の先端部でテンプル本体３１に対してピンにより固定されている。ただし、本開示では、テンプル本体３１と取付部３４との固定方法は、ピン限らず、ねじ留め，溶着，溶接，接着などにより行われてもよい。取付部３４の後方側の部分は湾曲しており、その端部は下方向に臨んでいる。取付部３４の後方向の先端は、突出部３５１につながっている。
【００２５】
もみあげ押さえ部３５は、装着時において装着者５のもみあげ５１を押さえる部分であり、もみあげ５１を押さえることで、眼鏡１を装着した際の安定性を向上させる。もみあげ押さえ部３５は、図３に示すように、装着者５のもみあげ５１に重なる位置に配置される。
ここで、本開示において、もみあげ押さえ部３５が「装着者５のもみあげ５１に重なる」とは、装着者５が眼鏡１を装着した際に、もみあげ押さえ部３５が装着者５のもみあげ５１が生え得る部分に位置することを意味する。つまり、例えば、装着者５の鬢の毛が無い場合や、装着者５が長髪であって、鬢の毛が耳に沿って細く生え下がっていないように見える場合にも、もみあげ５１が生え得る部分にもみあげ押さえ部３５が位置していれば、もみあげ押さえ部３５が装着者５のもみあげ５１に重なる、こととする。また、ここでいう「もみあげ５１」とは、鬢の毛１本１本を意味するのではなく、鬢の毛の束を意味する。本実施形態に係るもみあげ押さえ部３５は、突出部３５１と、面接触部３５２とを備えている。
【００２６】
突出部３５１は、図２に示すように、テンプル本体３１よりも下方に突出し、面接触部３５２につながる。突出部３５１は、全長にわたってもみあげ５１に接触する。突出部３５１は、取付部３４を介してテンプル本体３１に対して固定されており、つまり、テンプル本体３１に設けられている。本実施形態では、突出部３５１は、取付部３４を介してテンプル本体３１に固定されているが、例えば、突出部３５１は、テンプル本体３１に一体に形成されてもよい。すなわち、本開示でいう、突出部３５１がテンプル本体３１に設けられる、とは、突出部３５１がテンプル本体３１に対し、間接的に固定される場合も、直接的に固定される場合も含まれ、また、一体であるか別体であるかは特に限らない。
【００２７】
本実施形態に係る突出部３５１は、下方向に沿って直線状に延びている。突出部３５１は、取付部３４の幅と同じ幅であり、テンプル本体３１の幅と同じ幅である。突出部３５１の下端部には、面接触部３５２が形成されている。
【００２８】
面接触部３５２は、もみあげ５１に面状に接触する部分である。面接触部３５２は、突出部３５１の下端につながっている。面接触部３５２は、側面視において、テンプル本体３１の幅よりも幅広に形成されている。したがって、本実施形態に係る面接触部３５２は
、もみあげ５１に対する単位長さ当たりの接触面積が、テンプル本体３１よりも大きい。面接触部３５２は、本実施形態では、面接触パッドで構成されており、柔軟性を有している。また、面接触部３５２は、本実施形態では、もみあげ５１の幅以下の幅で形成されている。
ここで、本開示において、面接触部３５２が「もみあげ５１に面状に接触する」とは、装着者５が眼鏡１を装着した際に、面接触部３５２が装着者５のもみあげ５１が生え得る部分に、面状に接触することを意味し、鬢の毛の有無は問わない。つまり、面接触部３５２は、肌に接触する場合も含む。また、本開示にいう「面状に接触する」とは、面接触部３５２のもみあげ５１への接触面の少なくとも一部が平坦であることを意味する。「平坦である」とは、平面に限らず、曲率半径が大きくて平面にみなせる面を含むものとする。
【００２９】
このように、本実施形態に係る眼鏡１はもみあげ押さえ部３５を有しているため、装着者５が眼鏡１を装着した場合、図３に示すように、もみあげ押さえ部３５を目立たないようにできる。また、本実施形態に係る眼鏡１は、もみあげ押さえ部３５を有しているため、装着した状態において安定度を向上させることができる。このため、鼻当て４が無くても、眼鏡１の装着状態を安定させることができるが、本実施形態に係る眼鏡１は、鼻当て４を有することで、さらに装着状態の安定性が向上する。
【００３０】
（３）変形例
以上説明した本実施形態に係る眼鏡１は、本開示の一例に過ぎない。以下、本開示に係る眼鏡１の変形例を説明する。以下のいくつかの変形例と上記実施形態とは適宜組み合わせて用いることができる。
【００３１】
（３−１）もみあげ押さえ部３５の変形例１
変形例１に係るもみあげ押さえ部３５は、図４Ａに示すように、突出部３５１を有するが、面接触部３５２を有していない。ただし、突出部３５１は、棒状のパッドで構成されており、柔軟性を有している。また、変形例１に係る取付部３４は、テンプル本体３１の後方向の端部に固定され、固定部分から前方向に沿って延びている。
【００３２】
もみあげ押さえ部３５を突出部３５１のみで構成することで、変形例１の眼鏡１は、上記実施形態の眼鏡１に比べて、装着時の安定性ではやや低下するものの、装着時において、もみあげ押さえ部３５をより目立たなくすることができる。
【００３３】
（３−２）もみあげ押さえ部３５の変形例２
変形例２に係るもみあげ押さえ部３５は、図４Ｂに示すように、面接触部３５２を有するが、突出部３５１を有していない。本変形例に係るもみあげ押さえ部３５は、取付部３４の下端部（後端部）に取り付けられており、テンプル本体３１よりも下方に位置している。
【００３４】
本変形例に係る眼鏡１は、突出部３５１を有していないため、上記実施形態の眼鏡１に比べて、装着時の安定性ではやや低下するものの、面接触部３５２により、もみあげ５１に対して面状に接触するため、十分な装着時の安定性を得ることができる。特に、上記実施形態及び変形例１のもみあげ押さえ部３５に比べて、本変形例のもみあげ押さえ部３５では、上下方向の長さを短くできるため、もみあげ５１が短い装着者５に対しても、もみあげ押さえ部３５を目立たなくすることができる。
【００３５】
（３−３）もみあげ押さえ部３５の変形例３
変形例３に係るもみあげ押さえ部３５は、図４Ｃに示すように、面接触部３５２を有するが、突出部３５１を有していない。また、本変形例では、取付部３４も有しておらず、面接触部３５２が直接的にテンプル本体３１に取り付けられている。面接触部３５２は、
テンプル本体３１において、装着者５のもみあげ５１に重なる位置に配置されている。
【００３６】
なお、本変形例では、面接触部３５２はテンプル本体３１に対して位置固定されているが、本開示では、テンプル本体３１の長手方向（つまり前後方向）に沿って移動可能に構成されてもよい。
【００３７】
本変形例に係る眼鏡１では、変形例２と同様、装着時において、十分な安定性を得ることができながら、もみあげ５１が短い装着者５に対しても、もみあげ押さえ部３５を目立たなくすることができる。
【００３８】
（３−４）テンプル３の変形例４
変形例４に係るテンプル３は、図５に示すように、上記実施形態のテンプル３に加えて後支え部３６を更に備える点で上記実施形態とは異なる。後支え部３６は、テンプル本体３１から装着者５の後頭部まで延びて、後頭部に接触する。
【００３９】
本変形例では、後支え部３６は、後頭骨５２の下部に沿って延びる下支持体３６２を有している。下支持体３６２は、テンプル３の後方向の端部（モダン３２の後端部）から後方向で、かつ左右方向のうちの装着者５側に延びている。一対の下支持体３６２の先端同士は、後頭部の中央で互いに対向している。各下支持体３６２は、テンプル３の後方向の端部から下方に延び、更に、左右方向のうちの装着者５側に延びる。下支持体３６２の曲がり部は湾曲している。
【００４０】
変形例４に係るテンプル３は、下支持体３６２が後頭骨５２の下部に接触しており、上方向への移動が規制されている。このため、上記実施形態に比べて、眼鏡１の装着状態をより安定させることができる。なお、本変形例に係る眼鏡１も、上記実施形態と同様のもみあげ押さえ部３５を有しているが、変形例１〜３のもみあげ押さえ部３５を適宜適用することができる。
【００４１】
（３−５）テンプル３の変形例５
変形例５に係るテンプル３は、図６に示すように、上記実施形態のテンプル３に加えて、後支え部３６を更に備える点で上記実施形態とは異なる。後支え部３６は、テンプル本体３１から装着者５の後頭部まで延びて、後頭部に接触する。
【００４２】
本変形例では、後支え部３６は、テンプル３の後方向の端部から、テンプル３よりも上方で、かつ左右方向のうちの装着者５側に延びている。一対の上支持体３６１の先端同士は、後頭部の中央で互いに対向している。
【００４３】
変形例５に係るテンプル３は、上支持体３６１が後頭部に接触していることで、上記実施形態に比べて、眼鏡１の装着状態をより安定させることができる。なお、本変形例に係る眼鏡１も、上記実施形態と同様のもみあげ押さえ部３５を有しているが、変形例１〜３のもみあげ押さえ部３５を適宜適用することができる。
【００４４】
（３−６）その他の変形例
以下、上述した変形例とは別の上記実施形態の変形例を列挙する。
【００４５】
上記実施形態の透光体２１は、透明なガラスで構成されたが、本開示では、透光体２１に対して後方から映像を投影し、実際の視界に映像を重ねる、いわゆるＡＲ（拡張現実感）のためのモニターであってもよいし、透明な液晶ディスプレイで構成されてもよい。つまり、本開示の眼鏡１は、眼鏡式のウェアラブル端末に適用することが可能である。
【００４６】
上記実施形態に係るもみあげ押さえ部３５は、装着者５のもみあげ５１の幅内に収まるように構成されたが、本開示では、もみあげ押さえ部３５は、装着者５のもみあげ５１よりも幅広であってもよい。
【００４７】
上記実施形態に係る突出部３５１は、装着者５のもみあげ５１に接触しており、眼鏡１の装着時の安定性に寄与していたが、本開示にかかる突出部３５１は、装着者５のもみあげ５１に接触しなくてもよい。
【００４８】
上記実施形態に係る眼鏡１は鼻当て４を有していたが、本開示では、鼻当て４はなくてもよい。
【００４９】
上記実施形態に係る眼鏡１では、突出部３５１の下端に面接触部３５２が形成されたが、本開示では、面接触部３５２は、突出部３５１の長手方向の途中に位置していてもよい。また、面接触部３５２は、突出部３５１と別体で構成されてもよく、突出部３５１に対して位置調整可能に構成されてもよい。
【００５０】
（４）まとめ
以上説明したように、第１の態様の眼鏡１は、装着者５の目の前に配置されて光を通す透光部２と、透光部２が装着者５の目の前に配置された状態で前記透光部２を支持する一対のテンプル３とを備える。一対のテンプル３の各々は、もみあげ押さえ部３５を有する。もみあげ押さえ部３５は、装着者５のもみあげ５１に重なる位置に配置されて、もみあげ５１を押さえる。
第１の態様の眼鏡１によれば、装着者５に装着した状態では、もみあげ押さえ部３５がもみあげ５１を押さえるため、安定した装着を行うことができる。その上、もみあげ押さえ部３５がもみあげ５１に重なるため、もみあげ押さえ部３５が目立たないようにできる。つまり、第１の態様の眼鏡１によれば、装着時において、安定した装着を行うことができながらも、見た目が損なわれるのを抑えることができる。
【００５１】
第２の態様の眼鏡１は、第１の態様において、もみあげ押さえ部３５が、もみあげ５１に面状に接触する面接触部３５２を有する。
第２の態様の眼鏡１によれば、もみあげ押さえ部３５がもみあげ５１に面状に接触するため、装着時において、より安定した装着を行うことができる。
【００５２】
第３の態様の眼鏡１は、第２の態様において、一対のテンプル３の各々が、テンプル本体３１と、突出部３５１とを備える。テンプル本体３１は、透光部２の縁部から装着者５の耳まで延びる。突出部３５１は、テンプル本体３１に設けられ、テンプル本体３１よりも下方に突出して面接触部３５２につながる。
第３の態様の眼鏡１によれば、もみあげ５１のできる限り下の方に面接触部３５２を接触させることができるため、装着時において、より一層、安定した装着を行うことができる。
【００５３】
第４の態様の眼鏡１は、第１〜第３の態様のいずれかの態様において、装着者５の鼻に載り、透光部２を支持する鼻当て４を更に備える。
第４の態様の眼鏡１によれば、鼻当て４でも眼鏡を支持することができるため、装着時において、より一層、安定した装着を行うことができる。
【００５４】
第５の態様の眼鏡１は、第１〜第４の態様のいずれかの態様において、一対のテンプル３の各々が、テンプル本体３１と、後支え部３６とを有する。テンプル本体３１は、透光部２から装着者５の耳まで延びる。後支え部３６は、テンプル本体３１から装着者５の後頭部まで延びて、後頭部に接触する。
第５の態様の眼鏡１によれば、透光部２は、もみあげ押さえ部３５に加えて、後支え部３６でも支持されるため、装着時において、より一層、安定した装着を行うことができる。
【００５５】
ただし、第２〜第５の態様は、本発明においては、必須の構成ではなく、適宜選択して採用することができる。
【符号の説明】
【００５６】
１      眼鏡
２      透光部
３      テンプル
３１    テンプル本体
３５    もみあげ押さえ部
３５１  突出部
３５２  面接触部
３６    後支え部
４      鼻当て
５      装着者
５１    もみあげ
【図１】
2020166257.tif 000003
【図２】
2020166257.tif 000004
【図３】
2020166257.tif 000005
【図４】
2020166257.tif 000006
【図５】
2020166257.tif 000007
【図６】
2020166257.tif 000008